Podtech/llm-jp-corpus-v4-ja_patent huggingface dataset:
【手続補正書】
【提出日】平成24年2月10日(2012.2.10)
【手続補正１】
【補正対象書類名】特許請求の範囲
【補正対象項目名】全文
【補正方法】変更
【補正の内容】
【特許請求の範囲】
【請求項１】
過剰噴霧粒子を含む原ガスの流れ（１２０）から過剰噴霧塗料を分離する装置であって、
少なくとも二つの濾過装置（１３２）を備え、
個々の濾過装置（１３２）が、それを通って原ガスの部分流（２２８）がそれぞれの濾過装置（１３２）に入る取り込み開口（２３０）と、
原ガスの部分流（２２８）から過剰噴霧塗料を分離する少なくともひとつのフィルタ要素（１７２）とを含む装置において、
フィルタ要素（１７２）の表面が原ガスの流れに添加される濾過助剤から成るバリア層を備え、
複数の濾過装置（１３２）のフィルタ要素（１７２）から除去された濾過助剤と過剰噴霧塗料の混合物を受け入れる少なくともひとつの容器（１７６）と、
複数の濾過装置（１３２）から除去された濾過助剤と過剰噴霧塗料の混合物を機械的に混合するための攪拌装置（２０４）と、を含み、
攪拌装置（２０４）が実質的に水平方向に向いた回転軸（２１２）のまわりで回転可能な少なくともひとつの攪拌器具（２１６）を備えることを特徴とする装置。
【請求項２】
容器（１７６）が、第一の濾過装置（１３２）の垂直方向で下に位置する領域から第二の濾過装置（１３２）の垂直方向で下に位置する領域へ延びる槽の形であることを特徴とする請求項１に記載の装置。
【請求項３】
容器（１７６）が、過剰噴霧塗料が負荷された濾過助剤を容器（１７６）から取り出すために用いられる物質出口開口（２２４）を備えることを特徴とする請求項１又は２に記載の装置。
【請求項４】
容器（１７６）が物質出口開口（２２４）を備え、攪拌装置（２０４）が物質出口開口（２２４）を通して物質を放出するプロセスを助ける攪拌器具（２１６´）を備えることを特徴とする請求項１から３までのいずれかに記載の装置。
【請求項５】
容器（１７６）が新しい濾過助剤のための入口（２２２）を備えることを特徴とする請求項１から４までのいずれかに記載の装置。
【請求項６】
新しい濾過助剤のための入口（２２２）が容器（１７６）の第一端領域に配置され、
容器（１７６）が、第一端領域と反対に位置する容器（１７６）の第二領域に配置された物質出口開口（２２４）を備えることを特徴とする請求項５に記載の装置。
【請求項７】
攪拌装置（２０４）は回転方向が反対の少なくとも二つのらせん羽根を備えることを特徴とする請求項１から６までのいずれかに記載の装置。
【請求項８】
濾過助剤が、中空構造及び／又は外側寸法に対して大きな内側表面積を有する粒子を含むことを特徴とする請求項１から７までのいずれかに記載の装置。
【請求項９】
濾過助剤が、過剰噴霧塗料と化学的に反応する粒子を含むことを特徴とする請求項１から８までのいずれかに記載の装置。
【請求項１０】
濾過助剤は、平均直径が約１０μｍから約１００μｍの範囲にある多数の濾過助剤粒子から成ることを特徴とする請求項１から９までのいずれかに記載の装置。
【請求項１１】
装置（１２６）は、圧縮空気のパルスによって容器（１７６）に収容された物質を巻き上げて原ガスの流れに入るようにする流動化手段（１９８）を備えることを特徴とする請求項１から１０までのいずれかに記載の装置。
【請求項１２】
完全な一回転の間に攪拌装置（２０４）が攪拌領域（２２０）を掃引し、容器（１７６）が攪拌領域（２２０）の外側輪郭に適合する内側輪郭を有する攪拌部（１８０）を含むことを特徴とする請求項１から１１までのいずれかに記載の装置。
【請求項１３】
容器（１７６）は攪拌部（１８０）を含み、攪拌装置（２０４）は完全な一回転の間に攪拌部（１８０）の実質的に全体を掃引することを特徴とする請求項１から１２までのいずれかに記載の装置。
【請求項１４】
過剰噴霧粒子を含む原ガスの流れ（１２０）から過剰噴霧塗料を分離する方法であって、
原ガスの流れ（１２０）を少なくとも二つの原ガスの部分流（２２８）に分割するステップであって、それらの部分流は少なくとも二つの異なる濾過装置（１３２）に異なる取り込み開口（２３０）を通して入り、濾過装置は各々の原ガスの部分流（２２８）から過剰噴霧塗料を分離するための少なくともひとつのフィルタ要素（１７２）を有する、ステップと、
フィルタ要素（１７２）によって原ガスの部分流（２２８）から過剰噴霧塗料を分離するステップと、
複数の異なる濾過装置（１３２）のフィルタ要素（１７２）から物質を除去するステップと、
複数の異なる濾過装置（１３２）から除去された物質を同じ容器（１７６）に集めるステップと、
複数の異なる濾過装置（１３２）から除去された物質を容器（１７６）において攪拌装置（２０４）によって機械的に混合するステップと、を含み、
攪拌装置（２０４）が実質的に水平方向に向いた回転軸（２１２）のまわりで回転可能な少なくともひとつの攪拌器具（２１６）を備える方法。
【請求項１５】
粒状の濾過助剤が原ガスの部分流（２２８）に加えられてフィルタ要素（１７２）の表面に沈着し、複数の異なる濾過装置（１３２）のフィルタ要素（１７２）から濾過助剤と過剰噴霧塗料から成る混合物が同じ容器（１７６）に集められ容器（１７６）内で攪拌装置（２０４）によって混合されることを特徴とする請求項１４に記載の方法。
【手続補正書】
【提出日】平成24年1月6日(2012.1.6)
【手続補正１】
【補正対象書類名】特許請求の範囲
【補正対象項目名】全文
【補正方法】変更
【補正の内容】
【特許請求の範囲】
【請求項１】
流体流れから水銀、ヒ素、またはアンチモンを除去するのに適した吸収剤組成物であって、
該組成物は、５〜２０重量％の１種以上の結合剤で結び付いた、５〜５０重量％の粒状の硫化された銅化合物、及び、アルミナ、水和アルミナ、チタニア、ジルコニア、シリカ、アルミノケイ酸塩、またはこれらの２種以上の混合物から選択される３０〜９０重量％の粒状担体物質を含み、
該結合剤は、第１の結合剤と、必要に応じて第２の結合剤を含み、第１の結合剤がセメント結合剤であり、第２の結合剤が、２より大きいアスペクト比を有する高アスペクト比結合剤であり、
硫化銅以外の金属硫化物の含量が５重量％以下である、吸収剤組成物。
【請求項２】
硫化された銅化合物が、硫化された塩基性炭酸銅、硫化された水酸化銅、硫化された酸化銅、またはこれらの混合物である、請求項１に記載の吸収剤。
【請求項３】
第１の結合剤がアルミン酸カルシウムセメント結合剤である、請求項１に記載の吸収剤。
【請求項４】
第２の結合剤がアルミノシリケートクレイである、請求項１に記載の吸収剤。
【請求項５】
第２の結合剤がアタパルジャイトクレイである、請求項１に記載の吸収剤。
【請求項６】
第１の結合剤と第２の結合剤との相対量が、第１の結合剤の第２の結合剤に対する量として、１：１〜３：１の範囲である、請求項１に記載の吸収剤。
【請求項７】
硫化銅以外の全金属硫化物の含量が１重量％以下であり、さらに好ましくは０．５重量％以下であり、特に０．１重量％以下である、請求項１に記載の吸収剤。
【請求項８】
イオウ密度として表示される吸収剤の密度が５０〜２００ｋｇＳ／ｍ３の範囲である、請求項１に記載の吸収剤。
【請求項９】
ｉ）硫化銅を形成することができる粒状銅化合物、アルミナ、水和アルミナ、チタニア、ジルコニア、シリカ、アルミノケイ酸塩、またはこれらの２種以上の混合物から選択される粒状担体物質、および１種以上の結合剤を含む組成物を作製する工程；ここで、該結合剤は、第１の結合剤と、必要に応じて第２の結合剤を含み、第１の結合剤がセメント結合剤であり、第２の結合剤が、２より大きいアスペクト比を有する高アスペクト比結合剤である；
ｉｉ）組成物を造形して吸収剤前駆体を作製する工程；
ｉｉｉ）吸収剤前駆体物質を乾燥する工程；および、
ｉｖ）前駆体を硫化して吸収剤を作製する工程；を含む、
請求項１に記載の吸収剤の製造方法。
【請求項１０】
硫化工程が、硫化水素、硫化カルボニル、メルカプタン、および多硫化物から選択されるイオウ化合物と、乾燥した吸収剤前駆体中に金属硫化物を形成することができる金属化合物とを反応させることによって行われる、請求項９に記載の製造方法。
【請求項１１】
硫化工程が、硫化剤が送られる硫化容器中にて、実験施設内において（ex-situ）乾燥吸収剤前駆体上で行なわれるか、または、硫化剤流れまたはイオウ化合物を含有する水銀含有流れを使用して水銀化合物を吸収するために吸収剤が使用される容器中にて、その場で（in-situ）乾燥吸収剤前駆体上で行なわれる、請求項９に記載の製造方法。
【請求項１２】
請求項１に記載の吸収剤、あるいは請求項９に従って作製した吸収剤とプロセス流体とを接触させることを含む、プロセス流体から水銀、ヒ素、またはアンチモンを除去する方法。
【請求項１３】
水銀含有流体が、水を０．０２〜５容量％の範囲の量にて含有する、請求項１２に記載の水銀除去方法。
【請求項１４】
流体が炭化水素流れである、請求項１２に記載の水銀除去方法。
【請求項１５】
流体が、オフショア炭化水素流れまたは炭化水素脱水ユニットからの再生流れである、請求項１３に記載の水銀除去方法。
【請求項１６】
１種以上の結合剤で結び付いた、硫化銅を形成することができる銅化合物と、アルミナ、水和アルミナ、チタニア、ジルコニア、シリカ、アルミノケイ酸塩、またはこれらの２種以上の混合物から選択される粒状担体物質と、を含み、
該結合剤は、第１の結合剤と、必要に応じて第２の結合剤を含み、第１の結合剤がセメント結合剤であり、第２の結合剤が、２より大きいアスペクト比を有する高アスペクト比結合剤であり、
銅以外の硫化可能な金属の含量が５重量％未満（酸化物として）である、
請求項１に記載の吸収剤を製造するための吸収剤前駆体組成物。
【手続補正書】
【提出日】平成23年12月5日(2011.12.5)
【手続補正１】
【補正対象書類名】特許請求の範囲
【補正対象項目名】全文
【補正方法】変更
【補正の内容】
【特許請求の範囲】
【請求項１】
目的物にセキュリティエレメントを添付するための自動接着式ラベルの形式におけるセキュリティエレメントであって、
目的物からセキュリティエレメントを非破壊で分離することを回避する手段を含み、
更に、コード領域と視覚的にマークされた散乱領域とを含み、
コード領域は、光学コードを含み、
散乱領域は、散乱領域が電磁波放射により照射されると、セキュリティエレメントに特有の一意的な散乱信号を発生する、ランダムに分布され及び／又は方向付けされた散乱センタを有する
ことを特徴とするセキュリティエレメント。
【請求項２】
請求項１に記載のセキュリティエレメントに基づいて、目的物を識別及び認証する方法であって、
（Ａ）セキュリティエレメント上の光学コードを読出し、参照データレコードを判定するステップと、
（Ｂ）セキュリティエレメントの特徴的な散乱信号を判定するステップと、
（Ｃ）特徴的な散乱信号を参照データレコードと比較するステップと、
（Ｄ）上記ステップ（Ｃ）の比較の結果に依存させて目的物の認証に関する通知を出力するステップと
を少なくとも含む方法。
【手続補正書】
【提出日】平成23年12月16日(2011.12.16)
【手続補正１】
【補正対象書類名】明細書
【補正対象項目名】０００５
【補正方法】変更
【補正の内容】
【０００５】
従来技術では、衝突検出及び応答技術を開示する、Teschnerらの“Collision detection for deformable objects”, Computer Graphics Forum 24, 1(March 2005), 61-81がある。この文献は、衝突検出に内在する２次複雑性を解決するために、バウンディングボリューム階層を作成する技術を開示している。この文献では、距離フィールド技術を使用して、ロバストな衝突検出を達成する。この技術では、空間内のあらゆる点に対し、この点に最も近接する面要素である「最近接形状特徴（closest feature）」を保存して、深さ交差を許容する。実際には、この技術は剛体だけに使用される。なぜなら、シミュレーションの初期化の間で距離フィールドの先行する計算（前処理）が必要となるからである。不安定な応答を生成する可能性がある、３次元空間の面への適用の際に、不連続性の問題も依然として存在する。
【手続補正２】
【補正対象書類名】明細書
【補正対象項目名】０００８
【補正方法】変更
【補正の内容】
【０００８】
階層化深さ画像（ＬＤＩ；layered depth image）アルゴリズムを開示する、Heidelbergerらによる、“Real-time volumetric intersections of deforming objects”, Proceedings of Vision, Modeling, Visualization (VMV), Munich, Germany, November 19-21, 2003が知られている。このアルゴリズムは、所定の視点からの物体交差の図形の複数の層のコンパクト表現を提供する。このアルゴリズムは、交差ボリューム（intersection volume）の幾何学的モデルを構築することを可能にする。このアルゴリズムによれば、物体のバウンディングボックスが計算される。次に、衝突候補物体のペア毎に、可視化軸が選択され、各物体の面全体が種々のテクスチャでレンダリングされる（ＬＤＩ）。バウンディングボックスの交差に含まれる面は可視化され、この可視化は可視化の方向に延長されて、すべての面層を包含する。次に、衝突検出は、可視化軸に沿って、連続したテクセル（テクスチャピクセル）のペア、又は、自己衝突のためのトリプレットを考慮して実行される。この迅速かつ単純な方法は前処理演算が回避される。しかし、前記文献は衝突検出だけを扱い、接触力の計算には言及していない。
【手続補正書】
【提出日】平成24年2月8日(2012.2.8)
【手続補正１】
【補正対象書類名】特許請求の範囲
【補正対象項目名】全文
【補正方法】変更
【補正の内容】
【特許請求の範囲】
【請求項１】
可視光透明基材と、
前記可視光透明基材の上又は中に配置される導電性微小パターンであって、前記微小パターンは、接触感知領域内の第１区域微小パターン及び第２区域微小パターンを含む、導電性微小パターンと、
を含み、
前記第１区域微小パターンは、第１の方向において、第１シート抵抗値を有し、可視光透明であり、少なくとも９０％の開口を有し、
前記第２区域微小パターンは、前記第１の方向において、第２シート抵抗値を有し、
前記第１シート抵抗値は、前記第２シート抵抗値とは異なる、タッチスクリーンセンサ。
【請求項２】
可視光透明基材と、
前記可視光透明基材の上又は中に配置される導電性微小パターンであって、前記微小パターンは、接触感知領域内に第１区域微小パターンを含む、導電性微小パターンと、
を含み、
前記第１区域微小パターンは、異方性第１シート抵抗を有し、可視光透明であり、少なくとも９０％の開口を有する、タッチスクリーンセンサ。
【請求項３】
可視光透明基材と、
前記可視光透明基材の上又は中に配置される導電性微小パターンであって、前記微小パターンは、
接触感知領域内の第１区域微小パターン及び第２区域微小パターンを含み、
前記導電性微小パターンは、５００ナノメートル未満の厚さ、及び０．５〜５マイクロメートルの幅を有する金属の線形導電性構造を含み、
前記第１区域微小パターンは、第１の方向において５〜５００Ω／スクエアの第１シート抵抗値を有し、可視光透明であり、９５％〜９９．５％の開口を有し、
前記第２区域微小パターンは、前記第１の方向において、第２シート抵抗値を有する、導電性微小パターンと、
を含み、
前記第１シート抵抗値は、前記第２シート抵抗値とは異なる、タッチスクリーンセンサ。
【請求項４】
可視光透明基材と、
前記可視光透明基材の上又は中に配置される導電性微小パターンであって、前記微小パターンは、
接触感知領域内に第１区域微小パターンを含み、
前記導電性微小パターンは、５００ナノメートル未満の厚さ、及び０．５〜５マイクロメートルの幅を有する金属の線形導電性構造を含み、
前記第１区域微小パターンは、直交方向において、少なくとも１．５倍のシート抵抗値の差を有する異方性第１シート抵抗を有し、可視光透明であり、９５％〜９９．５％の開口を有する、導電性微小パターンと、
を含む、タッチスクリーンセンサ。
【手続補正書】
【提出日】平成23年12月9日(2011.12.9)
【手続補正１】
【補正対象書類名】特許請求の範囲
【補正対象項目名】全文
【補正方法】変更
【補正の内容】
【特許請求の範囲】
【請求項１】
ユーザーに関するオンライン動作をトラッキングするステップと、
前記オンライン動作中、提示された広告に関連したオファーを識別するステップであって、前記オファーが、所望の動作を実行した前記ユーザーに対する見返りとして割引及び報奨のうち少なくとも１つを前記ユーザーに供与するものと、
前記オファーに関する情報をストアするステップと、
前記ユーザーと前記オファーとに関する情報を支払サービスに送信するステップと、
前記ユーザーによる前記所望の動作の実績に関する情報を前記支払サービスから受信するステップと、
前記ユーザーによる前記所望の動作の実績に関する前記情報を前記オファーに関する前記情報に関連付けるステップと、
を含む方法を実行するようにその上に具体化された計算機利用可能な命令を有する１つ以上の計算機記憶媒体。
【請求項２】
前記オンライン動作が、ウェブ閲覧、インスタントメッセージ、ウェブ検索、及び電子メールのうち少なくとも１つを含むことを特徴とする請求項１記載の１つ以上の計算機記憶媒体。
【請求項３】
前記オファーに関する前記情報がストアされ、前記ユーザーが所定の回数前記広告を見た、前記ユーザーが前記広告を選択した、及び前記ユーザーが前記広告上をホバリングした、のうち少なくとも１つの決定に基づいて前記支払サービスに送信されることを特徴とする請求項１記載の１つ以上の計算機記憶媒体。
【請求項４】
前記方法が更に、前記オファーに関する前記情報に加えて前記オンライン動作に関する情報をストアするステップを含むことを特徴とする請求項１記載の１つ以上の計算機記憶媒体。
【請求項５】
前記ストアされたオンライン動作に関する前記情報が、前記ユーザーによって見られたウェブページ、前記ユーザーによって提示された検索クエリー、及び前記ユーザーによって選択された検索結果、のうち１つ以上を含むことを特徴とする請求項４記載の１つ以上の計算機記憶媒体。
【請求項６】
前記方法が更に、前記ユーザーによる前記所望の動作の実績に関する前記情報を前記オンライン動作に関する前記情報に関連付けるステップを含むことを特徴とする請求項４記載の１つ以上の計算機記憶媒体。
【請求項７】
前記ユーザーと前記オファーとに関する情報を前記支払サービスに送信するステップが、前記ユーザーを識別するユーザー識別子と前記オファーを識別するオファー識別子とを送信するステップ、を含むことを特徴とする請求項１記載の１つ以上の計算機記憶媒体。
【請求項８】
前記所望の動作の前記実績が、オフライン動作の実績を含むことを特徴とする請求項１記載の１つ以上の計算機記憶媒体。
【請求項９】
前記方法が更に、前記オファーに関連した前記所望の動作の完了に対し、前記割引及び前記報奨のうち少なくとも１つを前記ユーザーに提供するステップを含むことを特徴とする請求項１記載の１つ以上の計算機記憶媒体。
【請求項１０】
前記方法が更に、前記オファーに関連した前記所望の動作の実績に関する情報を前記広告に関連した広告主に提供するステップを含むことを特徴とする請求項１記載の１つ以上の計算機記憶媒体。
【請求項１１】
ユーザーと、前記ユーザーのオンライン動作中前記ユーザーに提示された広告に関連したオファーとを識別する情報を受信するステップであって、前記ユーザーと前記オファーとを識別する前記情報が、支払サービスにおいて受信され、前記オファーが、所望の動作を実行した前記ユーザーに対する見返りとして、割引及び報奨のうち少なくとも１つを前記ユーザーに供与するものと、
前記オファーに関連した前記所望の動作の実績を識別するステップであって、前記所望の動作の前記実績が、前記支払サービスに関連した支払機構の使用を含むものと、
を含む方法を実行するようにその上に具体化された計算機利用可能な命令を有する１つ以上の計算機記憶媒体。
【請求項１２】
前記方法が更に、前記所望の動作の実績に関する情報を、前記所望の動作の実績に関する前記情報を前記オンライン動作に関する情報に関連付け可能にするサービスに提供するステップを含むことを特徴とする請求項１１記載の１つ以上の計算機記憶媒体。
【請求項１３】
前記ユーザーと前記オファーとを識別する前記情報が、前記ユーザーを識別するユーザー識別子と前記オファーを識別するオファー識別子とを含むことを特徴とする請求項１１記載の１つ以上の計算機記憶媒体。
【請求項１４】
前記所望の動作の前記実績が、オフライン動作の実績を含むことを特徴とする請求項１１記載の１つ以上の計算機記憶媒体。
【請求項１５】
前記方法が更に、前記オファーに関連した前記所望の動作の完了に対し、前記割引及び前記報奨のうち少なくとも１つを前記ユーザーに提供するステップを含むことを特徴とする請求項１１記載の１つ以上の計算機記憶媒体。
【請求項１６】
前記方法が更に、前記オファーに関連した前記所望の動作の実績に関する情報を前記広告に関連した広告主に提供するステップを含むことを特徴とする請求項１１記載の１つ以上の計算機記憶媒体。
【請求項１７】
ユーザーに提示された広告に関連したオファーを識別するために前記ユーザーに関するオンライン動作をトラッキングするための１つ以上のサーバーであって、前記オファーが、所望の動作を実行した前記ユーザーに対する見返りとして割引又は報奨をユーザーに供与し、前記１つ以上のサーバーが、前記オファーを含む前記オンライン動作に関する情報をストアし、前記１つ以上のサーバーがまた、前記ユーザー及び前記オファーに関する情報を、支払いカードを使用する支払を容易にする支払サービスに伝達し、前記支払サービスが、支払いカードを使用してユーザーによって実行された前記所望の動作と一致するオフライン動作を識別し、前記オフライン動作に関する情報を前記１つ以上のサーバーに伝達し、前記１つ以上のサーバーが、前記オフライン動作に関する前記情報を前記オンライン動作に関する前記情報に関連付けること、を特徴とする電算化システム。
【請求項１８】
前記オンライン動作が、ウェブ閲覧、インスタントメッセージ、ウェブ検索、及び電子メールのうち少なくとも１つを含むことを特徴とする請求項１７記載の電算化システム。
【請求項１９】
前記オフライン動作が、前記支払いカードを使用した小売店における購入を含むことを特徴とする請求項１７記載の電算化システム。
【請求項２０】
前記１つ以上のサーバーが、前記オファーに関連した前記所望の動作の完了に対し、前記割引又は前記報奨を前記ユーザーに提供することを容易にすることを特徴とする請求項１７記載の電算化システム。
【手続補正書】
【提出日】平成24年2月28日(2012.2.28)
【手続補正１】
【補正対象書類名】明細書
【補正対象項目名】００３０
【補正方法】変更
【補正の内容】
【００３０】
本発明は、さらに、複合体ＡＢを形成する２つの反応体ＡおよびＢの間の会合反応における反応速度定数ｋａを決定する方法、および解離して反応体ＡおよびＢを形成する複合体ＡＢにおける解離平衡定数Ｋｄを決定する方法に関し、
ここで、
ａ) 複合体ＡＢにおける解離平衡定数Ｋｄを、一定量の反応体Ａを変化させた量の反応体Ｂと混合し、ＡおよびＢを含む混合物をそれぞれ複合体ＡＢを形成する反応について平衡に至らしめ、該反応について平衡に至った後反応体ＡおよびＢの少なくとも一方の量あるいは複合体ＡＢの量を第１分析法の使用によって測定し；
ｂ) 複合体ＡＢを形成する２つの反応体ＡおよびＢの間の会合反応についての反応速度定数ｋａを、複合体ＡＢを形成する反応を平衡に到達させないような制限された時間および時間制御条件下で予め定められた量の反応体ＡおよびＢを混合し、反応体ＡおよびＢを制御時間間隔で混合した後、反応体ＡおよびＢの少なくとも一方あるいは複合体ＡＢの量を第２分析法の使用によって測定し；
第１分析法および第２分析法が、
i) 前処理したクロマトグラフィー粒子を有するクロマトグラフィーカラムにサンプルをアプライする工程であって、該クロマトグラフィーカラムが１００nl未満の容積を有する工程；
ii) クロマトグラフィーカラム中に反応体の少なくとも一方を捕捉する工程；
を含む。
【手続補正２】
【補正対象書類名】明細書
【補正対象項目名】００５２
【補正方法】変更
【補正の内容】
【００５２】
用語クロマトグラフィー粒子は、クロマトグラフィーにおける粒子の使用を示すために用いられ、クロマトグラフィーに使用するための既知の粒子のみに限定されない。実験では本質的に円形の粒子が用いられているが、他の幾何学的形状の粒子も本発明の使用を意図され得る。
該粒子は、多孔性であっても非多孔性であってもよい。
【手続補正３】
【補正対象書類名】明細書
【補正対象項目名】００７８
【補正方法】変更
【補正の内容】
【００７８】
実施例２
会合速度定数(ｋａ)の決定
アッセイ手順：
或る濃度のＴＳＨをＴＳＨに対して親和性を有する或る濃度の抗体と混合した。この混合物をマイクロタイタープレート中で異なる時間反応させた。試薬および洗浄緩衝液と共に混合物を Gyrolab(登録商標) Workstation (Gyros AB, Uppsala, Sweden)に負荷した。標準Bioaffy(登録商標) 200 CD を、下記の工程を含むサンドイッチアッセイについて標準的な方法と共に用いた：
ＣＤの再調整のための洗浄緩衝液を添加する
ビオチン化ＴＳＨをストレプトアビジンカラムに負荷する
カラムに洗浄緩衝液をアプライする
ＴＳＨと抗体の混合物をカラムにアプライし、混合物中の遊離抗体を捕捉する
洗浄緩衝液をカラムにアプライする
カラム上に捕捉された抗体の検出を可能にするために、Alexa(登録商標)標識ヤギ抗マウスＩｇＧをカラムにアプライする
カラムに洗浄緩衝液をアプライする
Gyrolab(登録商標) Workstationにおける検出装置を、カラム上に捕捉された抗体の検出に利用する。
【手続補正書】
【提出日】平成24年2月10日(2012.2.10)
【手続補正１】
【補正対象書類名】特許請求の範囲
【補正対象項目名】全文
【補正方法】変更
【補正の内容】
【特許請求の範囲】
【請求項１】
測定ガス流路を有する真空環境における使用のためのガスゲージであって、
前記測定ガス流路内の測定ノズルであって、前記測定ガス流路に結合されたガス供給源から供給される体積流量の音速チョーク流れ状態において動作する測定ノズルと、
前記体積流量の前記音速チョーク流れ状態から下流で前記測定ガス流路に動作上結合されて、前記測定ノズルの遠位端とそれに近接するターゲット面との間のギャップの指示を与えるために前記体積流量の差圧を測定する圧力センサと、
を含む、ガスゲージ。
【請求項２】
前記ガスゲージは２次ガス流路を有し、前記ガスゲージは、
前記２次ガス流路内の２次ノズルであって、前記圧力センサに動作上結合されて前記圧力センサが前記測定ノズルの第１圧力レベルと前記２次ノズルの第２圧力レベルとの間の前記体積流量の前記差圧を測定することを可能にする、２次ノズルをさらに含む、請求項１に記載のガスゲージ。
【請求項３】
前記ガスゲージは、ウェーハのトポグラフィをマッピングすることによって焦点位置を決定するために、前記圧力センサからの前記差圧の信号に基づいて前記ギャップにおけるオフセット距離の尺度を与える、請求項１または２に記載のガスゲージ。
【請求項４】
前記ガスゲージの前記測定ガス流路は、
前記圧力センサの上流に位置付けられ、かつ前記測定ガス流路の入り口における圧力を下げる一方で前記測定ノズルが前記ガス供給源から実質的に一定流量で流れるガスに対して前記音速チョーク流れ状態に到達することを可能にする第１制限器をさらに含み、前記測定ガス流路の前記入り口は、前記ガス供給源から前記ガスを受ける、請求項１から３のいずれか一項に記載のガスゲージ。
【請求項５】
前記ガス供給源および前記第１制限器は、前記測定ノズルの出口の直ぐ上流と、環形領域における、前記測定ノズルの前記出口の直ぐ下流とのガス圧間の比を、実質的に、前記測定ノズルの前記出口の直ぐ下流の最大期待ガス圧に対応する閾値以上に維持する、請求項１から４のいずれか一項に記載のガスゲージ。
【請求項６】
前記ターゲット面はウェーハであり、前記ガスゲージは、リソグラフィ装置によるウェーハ処理における露光ステップに最善な面を確立することを可能にする、請求項１から５のいずれか一項に記載のガスゲージ。
【請求項７】
前記真空環境内に汚染バリアを与えるために前記測定ガス流路および前記圧力センサを囲む密閉ハウジングをさらに含む、請求項１から６のいずれか一項に記載のガスゲージ。
【請求項８】
ガス供給源と、
前記ガス供給源によって供給される一定体積流量の音速チョーク流れ状態において動作する測定ノズルを有する真空環境における使用のためのガスゲージであって、前記体積流量の前記音速チョーク流れ状態から下流の前記測定ノズルに動作上結合されて、前記測定ノズルの遠位端とそれに近接する基板との間のギャップの指示を与えるために前記体積流量の差圧を測定する圧力センサを含む、ガスゲージと、
その断面にパターンを含む放射ビームに前記基板を露光させる露光ステーションと、
を含むリソグラフィ装置。
【請求項９】
前記基板を露光させる前に前記ガスゲージを用いて前記基板の１つ以上の特徴を測定する測定ステーションをさらに含む、請求項８に記載のリソグラフィ装置。
【請求項１０】
前記測定ノズルおよび前記基板は、前記測定ノズルから放出された前記ガスが前記基板上に衝突するように位置決めされる、請求項８または９に記載のリソグラフィ装置。
【請求項１１】
パターン付き断面を有するビームを前記基板に照射する間に前記基板を支持する基板ステージを含む基板ステージコンパートメントをさらに含む、請求項８から１０のいずれか一項に記載のリソグラフィ装置。
【請求項１２】
前記ガスゲージを含むリソグラフィ用の近接センサをさらに含む、請求項８から１１のいずれか一項に記載のリソグラフィ装置。
【請求項１３】
真空環境においてウェーハのトポグラフィをマッピングすることによってフォトリソグラフィ露光ツールにおける焦点を設定するために焦点位置を決定する方法であって、
ガス供給源を設けることと、
真空環境において、前記ガス供給源によって供給される一定体積流量の音速チョーク流れ状態において動作する測定ノズルを有し、前記体積流量の前記音速チョーク流れ状態から下流の前記測定ノズルに動作上結合されて、前記測定ノズルの遠位端とそれに近接する基板との間のギャップの指示を与えるために前記体積流量の差圧を測定する圧力センサを含む、ガスゲージを使用することと、
その断面にパターンを含む放射ビームに前記基板を露光させることと、
を含む、方法。
【請求項１４】
その断面にパターンを含む放射ビームに前記基板を露光させることにおいて、
前記方法は、
前記測定ノズルおよび前記基板を、前記測定ノズルから放出された前記ガスが前記基板上に衝突するように位置決めすることをさらに含む、請求項１３に記載の方法。
【請求項１５】
前記基板を露光させる前に前記ガスゲージを用いて前記基板の１つ以上の特徴を測定することをさらに含む、請求項１４に記載の方法。
【手続補正２】
【補正対象書類名】明細書
【補正対象項目名】発明の名称
【補正方法】変更
【補正の内容】
【発明の名称】ガスゲージ、リソグラフィ装置及び焦点位置を決定する方法
【手続補正書】
【提出日】平成24年2月17日(2012.2.17)
【手続補正１】
【補正対象書類名】特許請求の範囲
【補正対象項目名】全文
【補正方法】変更
【補正の内容】
【特許請求の範囲】
【請求項１】
試料中の炭水化物の存在または量を測定する非酵素的方法であって、
該試料を合成ファブリックに適用すること；
該試料中に炭水化物が存在する場合に、該炭水化物を、２つのヒドロキシル基間で炭水化物を開裂させるのに充分な酸化電位を有する酸化剤により化学的に修飾すること；
該化学的に修飾された炭水化物の存在または量を検出すること
を含み、該化学的修飾および検出が、室温でかつファブリックの別々の領域で行われる方法。
【請求項２】
炭水化物が糖である請求項１記載の方法。
【請求項３】
糖がフルクトース、デキストリン、ラクトース、マルトースまたはスクロースを含む請求項２記載の方法。
【請求項４】
さらに、化学的に修飾された炭水化物の検出を干渉する薬剤を不活化することを含む請求項１〜３のいずれかに記載の方法。
【請求項５】
化学的修飾および干渉薬剤の不活化が化学的に修飾された炭水化物を検出する前に行われる請求項４記載の方法。
【請求項６】
干渉薬剤の不活化が、ファブリックの化学的修飾が行なわれる領域の後の領域であり、化学的に修飾された炭水化物が通過する領域で行なわれる請求項４または５記載の方法。
【請求項７】
化学的修飾が、糖の環におけるエーテル結合の開環および／またはアルデヒド基の生成のための酸化剤との反応である請求項２記載の方法。
【請求項８】
酸化剤が過ヨウ素酸または過ヨウ素酸塩である請求項１〜７のいずれかに記載の方法。
【請求項９】
化学的修飾反応の後かつ化学的に修飾された炭水化物の検出の前に、化学的に修飾された炭水化物の検出を干渉する過剰量の酸化剤が不活化される請求項１〜８のいずれかに記載の方法。
【請求項１０】
化学的に修飾された炭水化物の検出が、該化学的に修飾された炭水化物の存在下で可視的な色の変化を与える銅含有化合物でなされる請求項７〜９のいずれかに記載の方法。
【請求項１１】
ファブリックがポリエステルファブリックである請求項１〜１０のいずれかに記載の方法。
【請求項１２】
試料が、毛細管作用を経てファブリックを通って移動し、かつ化学的な修飾の手段、干渉薬剤を不活化する手段および検出手段が、該試料が通って移動する該ファブリックの逐次的領域にある請求項４記載の方法。
【請求項１３】
前記ファブリックが、糖に対する酸化剤として、過ヨウ素酸ナトリウムまたは過ヨウ素酸を含み、前記方法がチオ硫酸ナトリウムまたは硫酸第一鉄により該過ヨウ素酸ナトリウムまたは過ヨウ素酸を中和することを含む請求項９または１２記載の方法。
【請求項１４】
ファブリックを表面に接触させること、および該表面を拭き取るかまたは該表面から試料を吸収することを含む方法により、試料がファブリックに適用される請求項１〜１３のいずれかに記載の方法。
【請求項１５】
ファブリックまたは表面が、ファブリックと表面とが互いに接触される前に緩衝溶液と接触される請求項１４記載の方法。
【請求項１６】
炭水化物を室温で、２つのヒドロキシル基間で炭水化物を開裂させるのに充分な酸化電位を有する酸化剤により化学的に修飾するための手段；化学的に修飾された炭水化物を室温で検出するための手段を別々の領域に担持する合成ファブリックを含む検査装置。
【請求項１７】
さらに、化学的に修飾された炭水化物の検出を干渉する薬剤を不活化する手段を含む請求項１６記載の検査装置。
【請求項１８】
炭水化物が糖である請求項１６記載の検査装置。
【請求項１９】
糖がフルクトース、デキストリン、ラクトース、マルトースまたはスクロースを含む請求項１８記載の検査装置。
【請求項２０】
前記ファブリックが、試料または試薬を一方通行させる不浸透性の層および／または層物質によって層状にされる請求項１６〜１９のいずれかに記載の検査装置。
【請求項２１】
層状にされる不浸透性の層が少なくとも１つの開口部を含むか、または試料または試薬を一方通行に流す前記層状にされた層が、試料または試薬が試料を適用された表面へ逆流することを制限する請求項２０記載の検査装置。
【請求項２２】
試料中の炭水化物の存在または量を非酵素的に検出するための検査装置であって、該装置がファブリック層を通して試料が連続的に移動するように調整された合成ファブリック層を含み、該ファブリック層が
炭水化物を室温で、２つのヒドロキシル基間で炭水化物を開裂させるのに充分な酸化電位を有する酸化剤により化学的に修飾する手段を含む化学修飾エリア；
化学的に修飾された炭水化物の検出を干渉する薬剤を不活化する手段を含む不活化エリア；および
化学的に修飾された炭水化物を室温で検出する手段を含む検出エリア
を含み、
該化学的修飾エリアおよび該検出エリアが、該ファブリックの別々の領域にある請求項１６〜２１のいずれかに記載の検査装置。
【請求項２３】
不活化エリアが、ファブリックの化学修飾エリアの後の領域にあり、化学的に修飾された炭水化物がそこを通過するように適合されている請求項２２記載の検査装置。
【請求項２４】
炭水化物を化学的に修飾するための試薬として過ヨウ素酸または過ヨウ素酸ナトリウムを含むファブリック材料の層を含み、化学的に修飾された炭水化物を検出する前に該化学的に修飾する試薬を中和するためのチオ硫酸ナトリウムまたは硫酸第一鉄をさらに含み、該化学的に修飾された炭水化物は、ビシンコニン酸を用いる銅錯化剤を用いる検出に適している、請求項１記載の方法を実行するための検査装置。
【請求項２５】
請求項１６〜２４のいずれかに記載の検査装置を製造する方法であって、
ロール−ツー−ロール印刷が前記ファブリック材料との接触面に導入される一方で該接触面のロールは回転させられ、該接触面のロールと該ファブリック材料が相対的に動かされる中で、炭水化物を２つのヒドロキシル基間で炭水化物を開裂させるのに充分な酸化電位を有する酸化剤により化学的に修飾するための試薬および該化学的に修飾された炭水化物を検出するための試薬を、印刷によって該ファブリック材料に塗布する工程；および
該ファブリック材料を二枚の不浸透性の層の間に積層し、該不浸透性の層の一枚が、該ファブリック材料と並べられる少なくとも一つの開口部を有し、該開口部を通って試料が表面からファブリック材料へと吸収される工程
を含む方法。
【請求項２６】
前記ロール−ツー−ロール印刷が、グラビア印刷である請求項２５記載の方法。
【請求項２７】
合成ファブリック材料；および
室温で２つのヒドロキシル基間で炭水化物を開裂させるのに充分な酸化電位を有する酸化剤によって前記炭水化物を修飾するための手段；および
干渉試薬を不活化するための手段；および
化学的に修飾された炭水化物を室温で検出する手段
を含む検査装置を含み、試料中の炭水化物の存在または量を非酵素的に測定するためのキット。
【請求項２８】
前記ファブリック材料、または試料となるべき表面もしくは前記試料を生み出す表面を、湿らすための緩衝溶液をさらに含む請求項２７記載のキット。
【請求項２９】
表面の汚染を示すために、表面上の炭水化物の存在を検出するための請求項１〜１５のいずれかに記載の方法の使用。
【請求項３０】
表面の汚染が、微生物の増殖を促進する物質による汚染である請求項２９記載の使用。
【手続補正書】
【提出日】平成24年1月23日(2012.1.23)
【手続補正１】
【補正対象書類名】特許請求の範囲
【補正対象項目名】全文
【補正方法】変更
【補正の内容】
【特許請求の範囲】
【請求項１】
測定期間に亘って測定システムを使用して収集された動物行動データのセットを濾過する方法であって、上記データは一定の測定地域内での被験動物の空間的位置に関するイベント情報、一定地域における既知の箇所における複数の装置における及びそれに対するこの被験動物の行動に関する装置イベント情報、及び位置及び装置イベント情報に関連した時間情報から成るものであり、上記方法は
収集された行動データを入力する工程、
行動データを解析して  （１）装置イベント情報と不一致な位置情報を装置の既知の位置に基づいて、 及び／或は（２）一個以上の装置に関し、その他の装置に関する装置イベント情報と不一致な装置イベントを装置イベントに関連する時間情報に基づいて検出する工程と、
検出された不一致の少なくとも幾らかに基づいてデータを更新する工程とから成る方法。
【請求項２】
一個以上の装置に関し、その他の装置に関する装置イベント情報と不一致な装置イベントが同時或は重複する時間帯或は閾値の時間帯に発生する第一及び第二装置の装置イベントを同定する工程から成るものである、請求項１に記載の方法。
【請求項３】
行動データを解析する工程が虚偽装置イベント開始を同定する工程から成るものである、 請求項１に記載の方法。
【請求項４】
装置イベント情報と不一致な位置情報を検出する工程が、少なくとも若干の装置イベントの間の位置情報を装置の既知の位置に基づいて予期される動物の位置と比較することにより位置情報の修正を計算する工程から成るものである、 請求項１に記載の方法。
【請求項５】
装置イベント情報と不一致な位置情報を検出する工程が、装置イベントの終了の検出に関する測定システムの失敗によるデータを同定して排除する工程から成るものである、 請求項１に記載の方法。
【請求項６】
装置イベントが被験動物による固体及び／或は液体の摂取に関する情報である、 請求項１に記載の方法。
【請求項７】
一定地域が檻内部の地域である、 請求項１に記載の方法。
【請求項８】
被験動物がげっ歯動物である、 請求項１に記載の方法。
【請求項９】
装置が、食品消費表示器から成るものである、請求項１に記載の方法。
【請求項１０】
装置が、液体消費表示器から成るものである、請求項１に記載の方法。
【請求項１１】
装置が、薬品消費表示器から成るものである、請求項１に記載の方法。
【請求項１２】
装置が、感覚的刺激に対する被験動物の応答、オペラント応答、或は新規対象への応答の少なくとも一個の表示器から成るものである、請求項１に記載の方法。
【請求項１３】
測定期間に亘って測定システムを使用して収集された動物行動データのセットを濾過する方法であって、上記データは一定の測定地域内での被験動物の空間的位置に関するイベント情報、及び一定地域における既知の箇所における複数の装置における及びそれに対するこの被験動物の行動に関する装置イベント情報から成るものであり、上記方法は
収集された行動データを入力する工程と、
虚偽装置イベント開始を同定して関連する装置イベント情報を削除する工程と、
少なくとも若干の装置イベントの間の位置情報を装置の既知の位置に基づいて予期される動物の位置と比較することにより位置情報への修正を計算する工程と、
計算された修正に基づいて位置情報を更新する工程と、
装置イベントの終了の検出に関する測定システムの失敗によるデータを同定して排除する工程とから成る方法。
【請求項１４】
虚偽装置イベントの同定が、
測定された位置のドリフトを測定期間に亘って時間の関数として計算する工程と、
各装置イベントに対し、装置イベントの時間における測定された位置のドリフトを装置イベントドリフトと比較する工程とから成る、請求項１３に記載の方法。
【請求項１５】
虚偽装置イベントの同定が、
各装置イベントに対し、装置イベントの時間における測定された位置のドリフトと装置イベントドリフトとの差を計算する工程と、
この差が既定の閾値を越える場合、装置イベント開始エラーの可能性ありとしてこの装置イベントをフラッグする工程とから更に成る、請求項１４に記載の方法。
【請求項１６】
虚偽装置イベント開始を同定して関連する装置イベント情報を削除する工程が、フラッグされた装置イベントの各々に関連するイベント情報を削除するか決定するために、フラッグされた装置イベントの表を使用者に提供する工程から成るものである、請求項１５に記載の方法。
【請求項１７】
各位置座標に関して、測定された位置のドリフトを、時間に対する定義された地域のその座標に沿った動物の測定された運動の境界の位置包絡線を生成することによって計算する工程から更に成るものである、請求項１４に記載の方法。
【手続補正書】
【提出日】平成24年1月12日(2012.1.12)
【手続補正１】
【補正対象書類名】特許請求の範囲
【補正対象項目名】全文
【補正方法】変更
【補正の内容】
【特許請求の範囲】
【請求項１】
デバイス及びサービス関連情報を含むブラウザエージェント、及び
前記ブラウザエージェントと相互作用してデバイス関連情報を管理する手段を含み、
前記ブラウザエージェントは、ブラウザを含み、前記デバイス情報及び前記サービス情報を利用して前記ブラウザのインターネットプロトコルサービスを提供するサーバへの接続を制御する、インターネットプロトコルサービスのアクセス制御装置。
【請求項２】
前記デバイス情報は、デバイスモデル、デバイスバージョン、デバイスシリアルナンバー、セッションキー情報のうち少なくとも一つを含む請求項１に記載のエンベディッドブラウザエージェントを基盤とするインターネットプロトコルサービスのアクセス制御装置。
【請求項３】
前記ブラウザエージェントは、前記サーバにアクセス時、前記セッションキーを生成して伝送する請求項２に記載のエンベディッドブラウザエージェントを基盤とするインターネットプロトコルサービスのアクセス制御装置。
【請求項４】
前記ブラウザエージェントは、前記サーバに最初のアクセス時、前記セッションキーを１回のみ生成し、ブラウザ、終了後の再アクセス時前記セッションキーを再び生成する請求項３に記載のエンベディッドブラウザエージェントを基盤とするインターネットプロトコルサービスのアクセス制御装置。
【請求項５】
前記デバイス関連情報の管理手段は、前記ブラウザ及びデバイスから所定のクライアント情報を抽出して管理するクライアント情報管理部を含む請求項１に記載のエンベディッドブラウザエージェントを基盤とするインターネットプロトコルサービスのアクセス制御装置。
【請求項６】
前記クライアント情報は、ブラウザ、デバイスモデル、デバイスバージョン、デバイスシリアルナンバー、セッションキー情報のうち少なくとも一つを含む請求項５に記載のエンベディッドブラウザエージェントを基盤とするインターネットプロトコルサービスのアクセス制御装置。
【請求項７】
前記クライアント情報は、前記ブラウザエージェントにＨＴＴＰ規約により文字列の形態で含まれ、前記サーバに伝達される請求項５に記載のエンベディッドブラウザエージェントを基盤とするインターネットプロトコルサービスのアクセス制御装置。
【請求項８】
前記ブラウザエージェントを介して前記サーバにアクセス中のデバイス関連情報に対して認証過程を経て前記サーバにアクセスを制御する認証アクセス制御部をさらに含む請求項５に記載のエンベディッドブラウザエージェントを基盤とするインターネットプロトコルサービスのアクセス制御装置。
【請求項９】
前記認証アクセス制御部は、前記ブラウザエージェントに含まれたデバイスシリアルナンバーとユーザ情報を組み合わせて個人化されたサービスを提供する請求項８に記載のエンベディッドブラウザエージェントを基盤とするインターネットプロトコルサービスのアクセス制御装置。
【請求項１０】
前記認証アクセス制御部は、前記ブラウザエージェントに含まれたデバイスシリアルナンバーを利用してユーザ認証を１回しただけでも前記サーバに再アクセス時の認証手続きを省略するようにする請求項８に記載のエンベディッドブラウザエージェントを基盤とするインターネットプロトコルサービスのアクセス制御装置。
【請求項１１】
前記ブラウザエージェントに含まれたデバイス関連情報をアップデートするためのデバイスアップデート管理部をさらに含む請求項８に記載のエンベディッドブラウザエージェントを基盤とするインターネットプロトコルサービスのアクセス制御装置。
【請求項１２】
該当デバイスモデルとソフトウェアバージョンによって前記サーバからサポート可能なサービスを管理するサービス管理部をさらに含む請求項１１に記載のエンベディッドブラウザエージェントを基盤とするインターネットプロトコルサービスのアクセス制御装置。
【請求項１３】
ユーザが前記ブラウザエージェントを介して前記サーバにアクセスしてサービスを利用した履歴を管理するためのユーザ履歴管理部をさらに含む請求項１２に記載のエンベディッドブラウザエージェントを基盤とするインターネットプロトコルサービスのアクセス制御装置。
【請求項１４】
（ａ）ブラウザエージェントにデバイス及びサービス関連情報を付加するステップ、（ｂ）前記ブラウザエージェントに含まれているブラウザを利用してインターネットプロトコルサービスを提供するサーバにアクセスするステップ、（Ｃ）前記ブラウザエージェントと相互作用してデバイス関連情報を管理するステップを含むインターネットプロトコルサービスのアクセス制御方法。
【請求項１５】
前記（ｂ）ステップは、前記ブラウザエージェントを利用して前記サーバにアクセス時セッションキーを生成して伝送する請求項１４に記載のインターネットプロトコルサービスのアクセス制御方法。
【請求項１６】
前記（ｂ）ステップは、前記ブラウザエージェントを利用して前記サーバに最初のアクセス時前記セッションキーを１回のみ生成し、ブラウザ終了後の再アクセス時前記セッションキーを再び生成する請求項１５に記載のインターネットプロトコルサービスのアクセス制御方法。
【請求項１７】
前記（ｃ）ステップは、前記ブラウザエージェント及びデバイスから所定のクライアント情報を抽出するステップ及び前記抽出されたクライアント情報を管理するステップをさらに含む請求項１４に記載のインターネットプロトコルサービスのアクセス制御方法。
【請求項１８】
前記（ｃ）ステップは、前記クライアント情報を前記ブラウザエージェントにＨＴＴＰ規約により文字列の形態で含み前記サーバに伝達する請求項１７に記載のインターネットプロトコルサービスのアクセス制御方法。
【請求項１９】
（ｄ）前記ブラウザエージェントを介して前記サーバにアクセス中のデバイス関連情報に対して認証過程を経て前記サーバにアクセスを制御するステップをさらに含む請求項１７に記載のインターネットプロトコルサービスのアクセス制御方法。
【請求項２０】
前記（ｄ）ステップは、前記ブラウザエージェントに含まれたデバイスシリアルナンバーを利用してユーザ認証を１回しただけでも前記サーバに再アクセス時の認証手続きを省略するようにする請求項１９に記載のインターネットプロトコルサービスのアクセス制御方法。
【請求項２１】
前記（ｄ）ステップは、前記ブラウザエージェントに含まれたデバイスシリアルナンバーとユーザ情報を組み合わせて個人化されたサービスを提供する請求項２０に記載のインターネットプロトコルサービスのアクセス制御方法。
【請求項２２】
（ｅ）前記ブラウザエージェントに含まれたデバイス関連情報をアップデートするステップをさらに含む請求項１９に記載のインターネットプロトコルサービスのアクセス制御方法。
【請求項２３】
（ｆ）該当デバイスモデルとソフトウェアバージョンによって前記サーバからサポート可能なサービスを管理するステップをさらに含む請求項２２に記載のインターネットプロトコルサービスのアクセス制御方法。
【請求項２４】
（ｇ）ユーザが前記ブラウザエージェントを介して前記サーバにアクセスしてサービスを利用した履歴を管理するステップをさらに含む請求項２３に記載のインターネットプロトコルサービスのアクセス制御方法。
【手続補正書】
【提出日】平成24年1月17日(2012.1.17)
【手続補正１】
【補正対象書類名】明細書
【補正対象項目名】０００５
【補正方法】変更
【補正の内容】
【０００５】
本発明の１つの態様は、複数のイベント群で撮影された写真集合から人物間の関係を分類する方法であって、コンピュータデバイスが、
ａ．前記写真集合を検索し、前記写真集合の中の人物を特定し、前記特定された人物の性別と年齢層を判断するステップと、
ｂ．前記特定された人物、それらの生起および共起、それらの性別およびそれらの年齢を使って、前記人物間の社会的関係を１つのルール群に基づいて推定するステップと、
を自動的に実行し、前記関係は親、子供、夫婦、その他の関係、子供の友人および知人を含み、前記コンピュータデバイスは、前記特定された人物間の推定された関係のリストを生成することを特徴とする。
【手続補正２】
【補正対象書類名】明細書
【補正対象項目名】０００６
【補正方法】変更
【補正の内容】
【０００６】
本発明の他の態様は、複数のイベント群で撮影され、想定所有者に帰属する写真集合から人物の関係を分類する方法であって、コンピュータデバイスが、
ａ．前記写真集合を検索し、前記写真集合の中の人物を特定し、前記特定された人物の性別と年齢層を判断するステップと、
ｂ．前記特定された人物、それらの生起および共起、それらの性別およびそれらの年齢を使って、前記特定された人物と前記写真集合の前記想定所有者との間の社会的関係を推定するステップと、
を自動的に実行し、前記関係は親、子供、夫婦、その他の関係、子供の友人および知人を含み、前記コンピュータデバイスは、前記特定された人物と前記写真集合の前記想定所有者との間の推定された関係のリストを生成することを特徴とする。
【手続補正３】
【補正対象書類名】特許請求の範囲
【補正対象項目名】全文
【補正方法】変更
【補正の内容】
【特許請求の範囲】
【請求項１】
複数のイベント群で撮影された写真集合から人物間の関係を分類する方法であって、
コンピュータデバイスが、
ａ．前記写真集合を検索し、前記写真集合の中の人物を特定し、前記特定された人物の性別と年齢層を判断するステップと、
ｂ．前記特定された人物、それらの生起および共起、それらの性別およびそれらの年齢を使って、前記人物間の社会的関係を１つのルール群に基づいて推定するステップと、
を自動的に実行し、
前記関係は親、子供、夫婦、その他の関係、子供の友人および知人を含み、
前記コンピュータデバイスは、前記特定された人物間の推定された関係のリストを生成することを特徴とする方法。
【請求項２】
複数のイベント群で撮影され、想定所有者に帰属する写真集合から人物の関係を分類する方法であって、
コンピュータデバイスが、
ａ．前記写真集合を検索し、前記写真集合の中の人物を特定し、前記特定された人物の性別と年齢層を判断するステップと、
ｂ．前記特定された人物、それらの生起および共起、それらの性別およびそれらの年齢を使って、前記特定された人物と前記写真集合の前記想定所有者との間の社会的関係を推定するステップと、
を自動的に実行し、
前記関係は親、子供、夫婦、その他の関係、子供の友人および知人を含み、
前記コンピュータデバイスは、前記特定された人物と前記写真集合の前記想定所有者との間の推定された関係のリストを生成することを特徴とする方法。
【請求項３】
請求項１及び２に記載の方法であって、前記コンピュータデバイスは、前記推定された関係のリストを用いて画像集合を検索又は整理することを特徴とする方法。